(57)【要約】【課題】商品またはサービスの決済を支援するためのサーバ装置を提供すること。【解決手段】本発明のサーバ装置は、少なくとも１つのユーザ装置と通信可能に構成されており、サーバ装置は、商品またはサービスの決済を要求する決済リクエストをユーザ装置から受信することであって、商品またはサービスは、商品またはサービスの提供元によって提供され、ユーザ装置は、少なくとも１つのユーザ装置のうちの１つである、ことと、提供元を特定するための情報をユーザ装置から受信することと、提供元を特定するための情報に基づいて、商品またはサービスを決済するための処理を実行することとを少なくとも実行するように構成されている。【選択図】図１
2020013499.tif 000002
【特許請求の範囲】
【請求項１】
商品またはサービスの決済を支援するためのサーバ装置であって、
前記サーバ装置は、少なくとも１つのユーザ装置と通信可能に構成されており、
前記サーバ装置は、
前記商品またはサービスの決済を要求する決済リクエストをユーザ装置から受信することであって、前記商品またはサービスは、前記商品またはサービスの提供元によって提供され、前記ユーザ装置は、前記少なくとも１つのユーザ装置のうちの１つである、ことと、
前記提供元を特定するための情報を前記ユーザ装置から受信することと、
前記提供元を特定するための情報に基づいて、前記商品またはサービスを決済するための処理を実行することと
を少なくとも実行するように構成されている、サーバ装置。
【請求項２】
前記提供元を特定するための情報は、前記ユーザ装置の位置情報を含み、
前記商品またはサービスを決済するための処理を実行することは、前記ユーザ装置の位置情報に基づいて実行される、請求項１に記載のサーバ装置。
【請求項３】
前記サーバ装置は、少なくとも１つの提供元に関する情報が格納されている提供元データベース部に接続されており、前記少なくとも１つの提供元に関する情報は、前記提供元の位置情報を含み、
前記提供元を特定するための情報に基づいて、前記商品またはサービスを決済するための処理を実行することは、
前記ユーザ装置の位置情報と前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、請求項２に記載のサーバ装置。
【請求項４】
前記提供元を特定するための情報は、前記提供元を特定するための画像データを含み、
前記商品またはサービスを決済するための処理を実行することは、前記提供元を特定するための画像データに基づいて実行される、請求項１に記載のサーバ装置。
【請求項５】
前記サーバ装置は、少なくとも１つの商品またはサービスに関する情報が格納されている商品・サービスデータベース部に接続されており、前記少なくとも１つの商品またはサービスに関する情報は、前記商品またはサービスの価格を示す情報を含み、
前記サーバ装置は、
前記ユーザ装置から前記商品またはサービスが表された画像データを受信することと、
前記画像データを解析することによって前記商品またはサービスを特定することと、
前記商品・サービスデータベース部を検索することにより、前記特定された商品またはサービスの価格を示す情報を取得することと
をさらに実行するように構成され、
前記商品またはサービスを決済するための処理は、前記特定された商品またはサービスの価格を示す情報に基づいて実行される、請求項１に記載のサーバ装置。
【請求項６】
前記提供元を特定するための情報は、前記ユーザ装置の位置情報を含む前記画像データを含み、
前記商品またはサービスを決済するための処理は、前記ユーザ装置の位置情報に基づいて実行される、請求項５に記載のサーバ装置。
【請求項７】
前記サーバ装置は、前記ユーザ装置から前記商品またはサービスの価格を示す情報を受信することをさらに実行するように構成され、
前記商品またはサービスを決済するための処理は、前記ユーザ装置から受信された前記商品またはサービスの価格を示す情報に基づいて実行される、請求項１に記載のサーバ装置。
【請求項８】
前記サーバ装置は、
有効なパスワードを生成し、前記パスワードを前記提供元の従業員に通知することと、
前記パスワードを前記提供元の従業員に通知したことに応答して、前記パスワードを入力するための画面を前記ユーザ装置に表示させることと、
前記ユーザ装置から前記パスワードを受信することと、
前記パスワードを受信したことに応答して、前記パスワードが有効であるか否かを判定することと
をさらに実行するように構成され、
前記商品またはサービスを決済するための処理は、前記パスワードが有効であると判定された場合に、実行される、請求項１〜７のいずれかに記載のサーバ装置。
【請求項９】
前記サーバ装置は、前記提供元の端末と通信可能なように構成されており、
前記パスワードを前記提供元の従業員に通知することは、前記端末に前記パスワードを出力させることを含む、請求項８に記載のサーバ装置。
【請求項１０】
前記パスワードは、１回限りの使用が有効なワンタイムパスワード、または、所定の時間内に限り有効な時限パスワードを含む、請求項８または請求項９に記載のサーバ装置。
【請求項１１】
商品またはサービスの決済を支援するためのサーバ装置において実行されるプログラムであって、
前記サーバ装置は、少なくとも１つのユーザ装置と通信可能に構成されており、
前記サーバ装置は、プロセッサ部を備え、
前記プログラムは、前記プロセッサ部において実行されると、
前記商品またはサービスの決済を要求する決済リクエストをユーザ装置から受信することであって、前記商品またはサービスは、前記商品またはサービスの提供元によって提供され、前記ユーザ装置は、前記少なくとも１つのユーザ装置のうちの１つである、ことと、
前記提供元を特定するための情報を前記ユーザ装置から受信することと、
前記提供元を特定するための情報に基づいて、前記商品またはサービスを決済するための処理を実行することと
を少なくとも実行することを前記プロセッサ部に行わせる、プログラム。
【請求項１２】
商品またはサービスの決済を支援するためのコンピュータシステムであって、
前記コンピュータシステムは、サーバ装置と、少なくとも１つのユーザ装置とを備え、
前記サーバ装置は、前記少なくとも１つのユーザ装置と通信可能に構成されており、
ユーザ装置は、前記商品またはサービスの決済を要求するためのユーザ入力を受信し、前記商品またはサービスは、前記商品またはサービスの提供元によって提供され、前記ユーザ装置は、前記少なくとも１つのユーザ装置のうちの１つであり、
前記ユーザ装置は、前記商品またはサービスの決済を要求する決済リクエストを前記サーバ装置に送信し、
前記サーバ装置は、前記ユーザ装置から前記決済リクエストを受信し、
前記ユーザ装置は、前記提供元を特定するための情報を前記サーバ装置に送信し、
前記サーバ装置は、前記ユーザ装置から前記提供元を特定するための情報を受信し、
前記サーバ装置は、前記提供元を特定するための情報に基づいて、前記商品またはサービスを決済するための処理を実行する、コンピュータシステム。
【請求項１３】
前記ユーザ装置は、前記ユーザ装置の位置情報を取得することが可能なように構成されており、
前記提供元を特定するための情報は、前記ユーザ装置の位置情報を含み、
前記商品またはサービスを決済するための処理を実行することは、前記ユーザ装置の位置情報に基づいて実行される、請求項１２に記載のコンピュータシステム。
【請求項１４】
前記サーバ装置は、少なくとも１つの提供元に関する情報が格納されている提供元データベース部に接続されており、前記少なくとも１つの提供元に関する情報は、前記提供元の位置情報を含み、
前記提供元を特定するための情報に基づいて、前記商品またはサービスを決済するための処理を実行することは、
前記ユーザ装置の位置情報と前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、請求項１３に記載のコンピュータシステム。
【請求項１５】
前記ユーザ装置は、画像データを生成することが可能なように構成されており、
前記提供元を特定するための情報は、前記提供元を特定するための画像データを含み、
前記商品またはサービスを決済するための処理を実行することは、前記提供元を特定するための画像データに基づいて実行される、請求項１２に記載のコンピュータシステム。
【請求項１６】
前記サーバ装置は、少なくとも１つの商品またはサービスに関する情報が格納されている商品・サービスデータベース部に接続されており、前記少なくとも１つの商品またはサービスに関する情報は、前記商品またはサービスの価格を示す情報を含み、
前記ユーザ装置は、前記商品またはサービスが表された画像データを生成し、
前記ユーザ装置は、前記画像データを前記サーバ装置に送信し、
前記サーバ装置は、前記ユーザ装置から前記画像データを受信し、
前記サーバ装置は、前記画像データを解析することによって前記商品またはサービスを特定し、
前記サーバ装置は、前記商品・サービスデータベース部を検索することにより、前記特定された商品またはサービスの価格を示す情報を取得し、
前記商品またはサービスを決済するための処理は、前記特定された商品またはサービスの価格を示す情報に基づいて実行される、請求項１２に記載のコンピュータシステム。
【請求項１７】
前記提供元を特定するための情報は、前記ユーザ装置の位置情報を含む前記画像データを含み、
前記商品またはサービスを決済するための処理は、前記ユーザ装置の位置情報に基づいて実行される、請求項１６に記載のコンピュータシステム。
【請求項１８】
前記ユーザ装置は、前記商品またはサービスの価格のユーザ入力を受信し、
前記ユーザ装置は、前記商品またはサービスの価格のユーザ入力を前記商品またはサービスの価格を示す情報として前記サーバ装置に送信し、
前記サーバ装置は、前記ユーザ装置から前記商品またはサービスの価格を示す情報を受信し、
前記商品またはサービスを決済するための処理は、前記ユーザ装置から受信された前記商品またはサービスの価格を示す情報に基づいて実行される、請求項１２に記載のコンピュータシステム。
【請求項１９】
前記サーバ装置は、有効なパスワードを生成し、前記パスワードを前記提供元の従業員に通知することが可能なように構成されており、
前記サーバ装置は、前記パスワードを前記提供元の従業員に通知したことに応答して、前記パスワードを入力するための画面を前記ユーザ装置に表示させ、
前記ユーザ装置は、前記パスワードを入力するための画面を表示し、
前記ユーザ装置は、前記パスワードのユーザ入力を受信し、
前記ユーザ装置は、前記パスワードのユーザ入力に応答して、前記パスワードを前記サーバ装置に送信し、
前記サーバ装置は、前記ユーザ装置から前記パスワードを受信し、
前記サーバ装置は、前記パスワードを受信したことに応答して、前記パスワードが有効であるか否かを判定し、
前記商品またはサービスを決済するための処理は、前記パスワードが有効であると判定された場合に、実行される、請求項１２〜１８のいずれかに記載のコンピュータシステム。
【請求項２０】
前記コンピュータシステムは、前記提供元の端末をさらに備え、
前記サーバ装置は、前記端末と通信可能なように構成されており、
前記パスワードを前記提供元の従業員に通知することは、前記端末に前記パスワードを出力させることを含む、請求項１９に記載のコンピュータシステム。
【請求項２１】
前記パスワードは、１回限りの使用が有効なワンタイムパスワード、または、所定の時間内に限り有効な時限パスワードを含む、請求項１９または請求項２０に記載のコンピュータシステム。
【発明の詳細な説明】
【技術分野】
【０００１】
本発明は、商品またはサービスの決済を支援するためのコンピュータシステム、そのコンピュータシステムにおいて使用されるサーバ装置、そのサーバ装置において実行されるプログラムに関する。
【背景技術】
【０００２】
従来から、スマートフォンなどのユーザ装置を用いた決済システムが知られている。
【先行技術文献】
【非特許文献】
【０００３】
【非特許文献１】岩田昭男、“お財布・カードはいらない？スマホ決済の選び方・使い方”、［online］、［平成３０年７月１８日検索］、インターネット<URL:https://www.lifehacker.jp/2018/06/smartphone_payment.html>
【発明の概要】
【発明が解決しようとする課題】
【０００４】
しかしながら、このようなスマートフォンを用いた決済システム（以下、「スマホ決済システム」という）を店舗側が導入しようとする場合、スマホ決済システムを実現するための装置（例えば、ＱＲコードを読み取るための装置）を予め準備しておく必要があった。すなわち、店舗側がこのようなスマホ決済システムを導入するためには、初期設備投資が必要であった。この初期設備投資は、スマホ決済システムの導入の障壁となっている。
【０００５】
出願人は、このようなスマートフォンなどのユーザ装置を用いた決済システムを実現するための装置を必要とすることなく、すなわち、スマートフォンなどのユーザ装置を用いた決済システムを導入するための初期設備投資を必要とすることなく、スマートフォンなどのユーザ装置を用いた決済システムを導入することを可能にするコンピュータシステムが必要であると考えた。
【０００６】
本発明は、スマートフォンなどのユーザ装置を用いた決済システムを導入するための初期設備投資を必要とすることなく、スマートフォンなどのユーザ装置を用いた決済システムを導入することを可能にするコンピュータシステム、そのコンピュータシステムにおいて使用されるサーバ装置、そのサーバ装置において実行されるプログラムを提供することを目的とする。
【課題を解決するための手段】
【０００７】
本発明の１つの局面において、本発明のサーバ装置は、商品またはサービスの決済を支援するためのサーバ装置であり、前記サーバ装置は、少なくとも１つのユーザ装置と通信可能に構成されており、前記サーバ装置は、前記商品またはサービスの決済を要求する決済リクエストをユーザ装置から受信することであって、前記商品またはサービスは、前記商品またはサービスの提供元によって提供され、前記ユーザ装置は、前記少なくとも１つのユーザ装置のうちの１つである、ことと、前記提供元を特定するための情報を前記ユーザ装置から受信することと、前記提供元を特定するための情報に基づいて、前記商品またはサービスを決済するための処理を実行することとを少なくとも実行するように構成されている。
【０００８】
本発明の１つの実施形態では、前記提供元を特定するための情報は、前記ユーザ装置の位置情報を含み、前記商品またはサービスを決済するための処理を実行することは、前記ユーザ装置の位置情報に基づいて実行されてもよい。
【０００９】
本発明の１つの実施形態では、前記サーバ装置は、少なくとも１つの提供元に関する情報が格納されている提供元データベース部に接続されており、前記少なくとも１つの提供元に関する情報は、前記提供元の位置情報を含み、前記提供元を特定するための情報に基づいて、前記商品またはサービスを決済するための処理を実行することは、前記ユーザ装置の位置情報と前記提供元の位置情報とに基づいて、前記ユーザ装置が前記提供元から所定の範囲内に位置しているか否かを判定することと、前記ユーザ装置が前記提供元から所定の範囲内に位置していると判定された場合に、前記商品またはサービスを決済するための処理を実行することとを含んでいてもよい。
【００１０】
本発明の１つの実施形態では、前記提供元を特定するための情報は、前記提供元を特定するための画像データを含み、前記商品またはサービスを決済するための処理を実行することは、前記提供元を特定するための画像データに基づいて実行されてもよい。
【００１１】
本発明の１つの実施形態では、前記サーバ装置は、少なくとも１つの商品またはサービスに関する情報が格納されている商品・サービスデータベース部に接続されており、前記少なくとも１つの商品またはサービスに関する情報は、前記商品またはサービスの価格を示す情報を含み、前記サーバ装置は、前記ユーザ装置から前記商品またはサービスが表された画像データを受信することと、前記画像データを解析することによって前記商品またはサービスを特定することと、前記商品・サービスデータベース部を検索することにより、前記特定された商品またはサービスの価格を示す情報を取得することとをさらに実行するように構成され、前記商品またはサービスを決済するための処理は、前記特定された商品またはサービスの価格を示す情報に基づいて実行されてもよい。
【００１２】
本発明の１つの実施形態では、前記提供元を特定するための情報は、前記ユーザ装置の位置情報を含む前記画像データを含み、前記商品またはサービスを決済するための処理は、前記ユーザ装置の位置情報に基づいて実行されてもよい。
【００１３】
本発明の１つの実施形態では、前記サーバ装置は、前記ユーザ装置から前記商品またはサービスの価格を示す情報を受信することをさらに実行するように構成され、前記商品またはサービスを決済するための処理は、前記ユーザ装置から受信された前記商品またはサービスの価格を示す情報に基づいて実行されてもよい。
【００１４】
本発明の１つの実施形態では、前記サーバ装置は、有効なパスワードを生成し、前記パスワードを前記提供元の従業員に通知することと、前記パスワードを前記提供元の従業員に通知したことに応答して、前記パスワードを入力するための画面を前記ユーザ装置に表示させることと、前記ユーザ装置から前記パスワードを受信することと、前記パスワードを受信したことに応答して、前記パスワードが有効であるか否かを判定することとをさらに実行するように構成され、前記商品またはサービスを決済するための処理は、前記パスワードが有効であると判定された場合に、実行されてもよい。
【００１５】
本発明の１つの実施形態では、前記サーバ装置は、前記提供元の端末と通信可能なように構成されており、前記パスワードを前記提供元の従業員に通知することは、前記端末に前記パスワードを出力させることを含んでいてもよい。
【００１６】
本発明の１つの実施形態では、前記パスワードは、１回限りの使用が有効なワンタイムパスワード、または、所定の時間内に限り有効な時限パスワードを含んでいてもよい。
【００１７】
本発明の１つの局面において、本発明のプログラムは、商品またはサービスの決済を支援するためのサーバ装置において実行されるプログラムであり、前記サーバ装置は、少なくとも１つのユーザ装置と通信可能に構成されており、前記サーバ装置は、プロセッサ部を備え、前記プログラムは、前記プロセッサ部において実行されると、前記商品またはサービスの決済を要求する決済リクエストをユーザ装置から受信することであって、前記商品またはサービスは、前記商品またはサービスの提供元によって提供され、前記ユーザ装置は、前記少なくとも１つのユーザ装置のうちの１つである、ことと、前記提供元を特定するための情報を前記ユーザ装置から受信することと、前記提供元を特定するための情報に基づいて、前記商品またはサービスを決済するための処理を実行することとを少なくとも実行することを前記プロセッサ部に行わせる。
【００１８】
本発明の１つの局面において、本発明のコンピュータシステムは、商品またはサービスの決済を支援するためのコンピュータシステムであり、前記コンピュータシステムは、サーバ装置と、少なくとも１つのユーザ装置とを備え、前記サーバ装置は、前記少なくとも１つのユーザ装置と通信可能に構成されており、ユーザ装置は、前記商品またはサービスの決済を要求するためのユーザ入力を受信し、前記商品またはサービスは、前記商品またはサービスの提供元によって提供され、前記ユーザ装置は、前記少なくとも１つのユーザ装置のうちの１つであり、前記ユーザ装置は、前記商品またはサービスの決済を要求する決済リクエストを前記サーバ装置に送信し、前記サーバ装置は、前記ユーザ装置から前記決済リクエストを受信し、前記ユーザ装置は、前記提供元を特定するための情報を前記サーバ装置に送信し、前記サーバ装置は、前記ユーザ装置から前記提供元を特定するための情報を受信し、前記サーバ装置は、前記提供元を特定するための情報に基づいて、前記商品またはサービスを決済するための処理を実行する。
【００１９】
本発明の１つの実施形態では、前記ユーザ装置は、前記ユーザ装置の位置情報を取得することが可能なように構成されており、前記提供元を特定するための情報は、前記ユーザ装置の位置情報を含み、前記商品またはサービスを決済するための処理を実行することは、前記ユーザ装置の位置情報に基づいて実行されてもよい。
【００２０】
本発明の１つの実施形態では、前記サーバ装置は、少なくとも１つの提供元に関する情報が格納されている提供元データベース部に接続されており、前記少なくとも１つの提供元に関する情報は、前記提供元の位置情報を含み、前記提供元を特定するための情報に基づいて、前記商品またはサービスを決済するための処理を実行することは、前記ユーザ装置の位置情報と前記提供元の位置情報とに基づいて、前記ユーザ装置が前記提供元から所定の範囲内に位置しているか否かを判定することと、前記ユーザ装置が前記提供元から所定の範囲内に位置していると判定された場合に、前記商品またはサービスを決済するための処理を実行することとを含んでいてもよい。
【００２１】
本発明の１つの実施形態では、前記ユーザ装置は、画像データを生成することが可能なように構成されており、前記提供元を特定するための情報は、前記提供元を特定するための画像データを含み、前記商品またはサービスを決済するための処理を実行することは、前記提供元を特定するための画像データに基づいて実行されてもよい。
【００２２】
本発明の１つの実施形態では、前記サーバ装置は、少なくとも１つの商品またはサービスに関する情報が格納されている商品・サービスデータベース部に接続されており、前記少なくとも１つの商品またはサービスに関する情報は、前記商品またはサービスの価格を示す情報を含み、前記ユーザ装置は、前記商品またはサービスが表された画像データを生成し、前記ユーザ装置は、前記画像データを前記サーバ装置に送信し、前記サーバ装置は、前記ユーザ装置から前記画像データを受信し、前記サーバ装置は、前記画像データを解析することによって前記商品またはサービスを特定し、前記サーバ装置は、前記商品・サービスデータベース部を検索することにより、前記特定された商品またはサービスの価格を示す情報を取得し、前記商品またはサービスを決済するための処理は、前記特定された商品またはサービスの価格を示す情報に基づいて実行されてもよい。
【００２３】
本発明の１つの実施形態では、前記提供元を特定するための情報は、前記ユーザ装置の位置情報を含む前記画像データを含み、前記商品またはサービスを決済するための処理は、前記ユーザ装置の位置情報に基づいて実行されてもよい。
【００２４】
本発明の１つの実施形態では、前記ユーザ装置は、前記商品またはサービスの価格のユーザ入力を受信し、前記ユーザ装置は、前記商品またはサービスの価格のユーザ入力を前記商品またはサービスの価格を示す情報として前記サーバ装置に送信し、前記サーバ装置は、前記ユーザ装置から前記商品またはサービスの価格を示す情報を受信し、前記商品またはサービスを決済するための処理は、前記ユーザ装置から受信された前記商品またはサービスの価格を示す情報に基づいて実行されてもよい。
【００２５】
本発明の１つの実施形態では、前記サーバ装置は、有効なパスワードを生成し、前記パスワードを前記提供元の従業員に通知することが可能なように構成されており、前記サーバ装置は、前記パスワードを前記提供元の従業員に通知したことに応答して、前記パスワードを入力するための画面を前記ユーザ装置に表示させ、前記ユーザ装置は、前記パスワードを入力するための画面を表示し、前記ユーザ装置は、前記パスワードのユーザ入力を受信し、前記ユーザ装置は、前記パスワードのユーザ入力に応答して、前記パスワードを前記サーバ装置に送信し、前記サーバ装置は、前記ユーザ装置から前記パスワードを受信し、前記サーバ装置は、前記パスワードを受信したことに応答して、前記パスワードが有効であるか否かを判定し、前記商品またはサービスを決済するための処理は、前記パスワードが有効であると判定された場合に、実行されてもよい。
【００２６】
本発明の１つの実施形態では、前記コンピュータシステムは、前記提供元の端末をさらに備え、前記サーバ装置は、前記端末と通信可能なように構成されており、前記パスワードを前記提供元の従業員に通知することは、前記端末に前記パスワードを出力させることを含んでいてもよい。
【００２７】
本発明の１つの実施形態では、前記パスワードは、１回限りの使用が有効なワンタイムパスワード、または、所定の時間内に限り有効な時限パスワードを含んでいてもよい。
【発明の効果】
【００２８】
本発明によれば、スマートフォンなどのユーザ装置を用いた決済システムを導入するための初期設備投資を必要とすることなく、スマートフォンなどのユーザ装置を用いた決済システムを導入することを可能にするコンピュータシステム、そのコンピュータシステムにおいて使用されるサーバ装置、そのサーバ装置において実行されるプログラムを提供することが可能である。
【図面の簡単な説明】
【００２９】
【図１】ユーザ装置を用いた決済の利用手法を説明するための概念図
【図２】ユーザ装置を用いた決済サービスの新しい利用手法を実現するためのコンピュータシステム２００の構成の一例を示す図
【図３Ａ】ユーザデータベース部２４１に格納されている情報の構成の一例を示す図
【図３Ｂ】提供元データベース部２４２に格納されている情報の構成の一例を示す図
【図３Ｃ】商品・サービスデータベース部２４３に格納されている情報の構成の一例を示す図
【図３Ｄ】パスワードデータベース部２４４に格納されている情報の構成の一例を示す図
【図４】コンピュータシステム２００において実行される処理のフローの一例を示す図
【発明を実施するための形態】
【００３０】
以下、図面を参照しながら、本発明の実施の形態を説明する。
【００３１】
１．ユーザ装置を用いた決済サービスの新しい利用手法
図１は、ユーザ装置を用いた決済サービスの利用手法を説明するための概念図である。図１（ａ）は、ユーザ装置を用いた決済サービスの従来の利用手法を説明するための概念図であり、図１（ｂ）は、ユーザ装置を用いた決済サービスの新しい利用手法を説明するための概念図である。
【００３２】
図１（ａ）に示されるように、従来では、ユーザ装置に表示されたＱＲコードを商品またはサービスの提供元の読み取り装置が読み取ることによって決済可能にするシステム、および、商品またはサービスの提供元の表示装置に表示されたＱＲコードをユーザ装置が読み取ることによって決済可能にするシステムが利用されている。しかしながら、商品またはサービスの提供元は、このようなＱＲコードの読み取りを利用した決済システムを導入するために、ＱＲコードを読み取るための装置、または、ＱＲコードを表示するための装置を予め準備しておく必要があり、これらの装置を予め準備する際に初期設備投資が必要とされていた。
【００３３】
図１（ｂ）に示されるように、本発明では、商品またはサービスの提供元の装置を利用することを必要とすることなく、ユーザがユーザ装置を用いて簡単な操作を行う（例えば、ユーザ装置の画面上の所定の領域を選択する、商品を購入したい旨をユーザ装置に音声認識させる）ことによって、その提供元での決済を完了させることが可能である。このように、商品またはサービスの提供元の装置を利用することを必要としないことにより、その提供元は、初期設備投資が必要とすることなく、ユーザ装置を用いた決済システムを導入することが可能である。なお、商品またはサービスの提供元は、例えば決済のセキュリティの向上を目的として、商品またはサービスの提供元の装置（例えば、予め備え付けられている電話機またはＦＡＸ機）から出力されるパスワードを利用するようにしてもよい。
【００３４】
なお、商品またはサービスの提供元は、商品またはサービスの提供場所が固定されているもの（例えば、店舗、美容院、郵便局）であってもよいし、商品またはサービスの提供場所が固定されていないもの（例えば、屋台、フリーマーケット、劇団の公演場、コンサート会場）であってもよい。あるいは、商品またはサービスの提供元は、商品またはサービスの提供の事業主、主催者、管理者などであってもよい。
【００３５】
２．コンピュータシステムの構成
図２は、ユーザ装置を用いた決済サービスの新しい利用手法を実現するためのコンピュータシステム２００の構成の一例を示す。
【００３６】
コンピュータシステム２００は、商品またはサービスの決済を支援するためのシステムである。コンピュータシステム２００は、少なくとも１つのユーザ装置２１０１〜２１０Ｎと、サーバ装置２２０とを備える。少なくとも１つのユーザ装置２１０１〜２１０Ｎは、インターネット２３０を介して、サーバ装置２２０と通信可能なように構成されている。サーバ装置２２０には、データベース部２４０が接続されている。コンピュータシステム２００は、商品またはサービスの提供元の少なくとも１つの端末２５０１〜２５０Ｍをさらに備えていてもよい。ここで、ＭおよびＮは、１以上の整数である。
【００３７】
図２に示される例では、ユーザ装置２１０１は、インターネット２３０を介した通信を制御するインターフェース部２１１と、１つ以上のＣＰＵ（Ｃｅｎｔｒａｌ  Ｐｒｏｃｅｓｓｉｎｇ  Ｕｎｉｔ）を含むプロセッサ部２１２と、メモリ部２１３と、タッチパネルディスプレイ等の入力部兼表示部２１４と、撮影機能を有するカメラ２１５と、ユーザ装置２１０１の現在の位置情報を取得するための位置情報装置２１６とを備えている。位置情報装置２１６の一例は、ＧＰＳ（Ｇｌｏｂａｌ  Ｐｏｓｉｔｉｏｎｉｎｇ  Ｓｙｓｔｅｍ）装置であり得るがこれに限定されない。なお、入力部兼表示部２１４の代わりに、入力部および表示部が別個の構成であってもよい。また、ユーザ装置２１０１は、ユーザ装置２１０１の音声認識部（図示せず）によってユーザの音声を認識することが可能なように構成されていてもよい。ユーザ装置２１０１の少なくとも一部の材料は、ＣＥＬＵＭＩＸ株式会社製であり得る。また、ユーザ装置２１０２〜２１０Ｎの構成は、ユーザ装置２１０１の構成と同一であるため、ここではその説明を省略する。
【００３８】
インターフェース部２１１は、サーバ装置２２０との間の通信を制御する。
【００３９】
メモリ部２１３には、オペレーションシステム（ＯＳ）等の基本プログラムのほかに、図４に示されるユーザ装置２１０１の処理を実行するためのプログラム（アプリケーションプログラム）がインストールされている。ここで、プログラムをどのようにしてメモリ部２１３にインストールするかは問わない。例えば、プログラムは、メモリ部２１３にプリインストールされていてもよい。あるいは、プログラムは、インターネット２３０などのネットワークを経由してダウンロードされることによってメモリ部２１３にインストールされるようにしてもよいし、光ディスクやＵＳＢなどの記憶媒体を介してメモリ部２１３にインストールされるようにしてもよい。プロセッサ部２１２は、メモリ部２１３に格納されているプログラムを読み出し、そのプログラムを実行する。これにより、ユーザ装置２１０１は、コンピュータシステム２００の一部を構成するクライアント装置として機能することが可能である。
【００４０】
あるいは、ユーザ装置２１０１は、メモリ部２１３にプリインストールされているＷｅｂブラウザの組み込みプログラムまたは追加プログラムを利用してＷｅｂサイトにアクセスすることが可能である。この場合、ユーザ装置２１０１は、アプリケーションプログラムをメモリ部２１３にインストールすることなく、Ｗｅｂブラウザ上でサービスを利用することが可能である。
【００４１】
プロセッサ部２１２は、ユーザ装置２１０１全体の動作を制御する。プロセッサ部２１２は、メモリ部２１３に格納されているプログラムを読み出し、そのプログラムを実行する。これにより、ユーザ装置２１０１を所望のステップを実行する装置として機能させることが可能である。
【００４２】
サーバ装置２２０は、商品またはサービスの提供元によって提供される商品またはサービスの決済を支援することが可能なように構成されている。サーバ装置２２０は、この決済サービスの管理者（例えば、この決済サービスの運営企業または責任者）が運営・管理する情報処理装置である。サーバ装置２２０は、例えば、ワークステーションやパーソナルコンピュータであって、サーバとしての一般的なハードウェア構成を有している。サーバ装置２２０のハードウェア構成はその機能を実現できる限りにおいて特に限定されず、単一のマシンで構成されていてもよく、複数台のマシンを組み合わせて構成されたものであってもよい。
【００４３】
図２に示される例では、サーバ装置２２０は、インターネット２３０を介した通信を制御するインターフェース部２２１と、１つ以上のＣＰＵ（Ｃｅｎｔｒａｌ  Ｐｒｏｃｅｓｓｉｎｇ  Ｕｎｉｔ）を含むプロセッサ部２２２と、メモリ部２２３とを備える。サーバ装置２２０のインターフェース部２２１、プロセッサ部２２２、メモリ部２２３は、それぞれ、ユーザ装置２１０１のインターフェース部２１１、プロセッサ部２１２、メモリ部２１３と同様の構成を有するため、ここではこれらの詳しい説明を省略する。
【００４４】
少なくとも１つの端末２５０１〜２５０Ｍは、商品またはサービスの提供元の電子機器である。少なくとも１つの端末２５０１〜２５０Ｍは、例えば、電話機、ＦＡＸ機であり得、少なくとも１つの端末２５０１〜２５０Ｍは、例えば、パスワードを出力することが可能なように構成され得る。例えば、少なくとも１つの端末２５０１〜２５０Ｍが電話機である場合には、パスワードは音声出力されるようにしてもよいし、少なくとも１つの端末２５０１〜２５０ＭがＦＡＸ機である場合には、パスワードはプリント出力されるようにしてもよい。
【００４５】
データベース部２４０は、ユーザデータベース部２４１と、提供元データベース部２４２と、商品・サービスデータベース部２４３と、パスワードデータベース部２４４とを含む。
【００４６】
また、図２に示される実施形態では、少なくとも１つのユーザ装置２１０１〜２１０Ｎがインターネット２３０を介してサーバ装置２２０と通信可能であると説明したが、本発明はこれに限定されない。インターネット２３０の代わりに任意のタイプのネットワークを用いることも可能である。
【００４７】
また、図２に示される実施形態では、データベース部２４０は、オペレータサービス提供システム２２０の外部に設けられているが、その態様は問わない。例えば、データベース部２４０は、サーバ装置２２０の単一の外付けハードディスク装置として構成されてもよいし、ネットワークを介して接続されるクラウド上のストレージとして構成されてもよい。あるいは、データベース部２４０は、サーバ装置２２０の内部に設けられることも可能である。データベース部２４０の構成は、特定のハードウェア構成には限定されない。例えば、データベース部２４０は、単一のハードウェア部品で構成されてもよいし、複数のハードウェア部品で構成されてもよい。例えば、データベース部２４０は、ブロックチェーンなどの分散型台帳技術または分散型ネットワークを利用して構築されていてもよい。さらに、データベース部２４０に含まれる各データベース部の構成もまた特定のハードウェア構成には限定されない。例えば、データベース部２４０に含まれる各データベース部もまた、単一のハードウェア部品で構成されてもよいし、複数のハードウェア部品で構成されてもよい。例えば、データベース部２４０に含まれる各データベース部もまた、ブロックチェーンなどの分散型台帳技術または分散型ネットワークを利用して構築されていてもよい。
【００４８】
図３Ａは、ユーザデータベース部２４１に格納されている情報の構成の一例を示す。
【００４９】
ユーザデータベース部２４１には、ユーザに関する情報が格納されている。ユーザに関する情報は、ユーザを識別するための情報（ユーザＩＤ）によって識別されることが可能である。ユーザデータベース部２４１には、例えば、ユーザの氏名、性別、生年月日、住所、電話番号、Ｅメールアドレス、口座情報（例えば、銀行名、口座番号、パスワード）などがさらに格納されている。
【００５０】
図３Ｂは、提供元データベース部２４２に格納されている情報の構成の一例を示す。
【００５１】
提供元データベース部２４２には、商品またはサービスの提供元に関する情報が格納されている。商品またはサービスの提供元に関する情報は、提供元を識別するための情報（提供元ＩＤ）によって識別されることが可能である。提供元データベース部２４２には、例えば、商品またはサービスの提供元の名称、位置情報、取扱い商品、口座情報（例えば、銀行名、口座番号、パスワード）、商品またはサービスの提供元を特定するための画像データ（例えば、提供元の屋号が表された画像データ）などがさらに格納されている。なお、商品またはサービスの提供元の位置情報は、例えば、提供元の住所、提供元が所有する端末のＧＰＳ情報などであるが、これらに限定されない。
【００５２】
図３Ｃは、商品・サービスデータベース部２４３に格納されている情報の構成の一例を示す。
【００５３】
商品・サービスデータベース部２４３には、商品またはサービスに関する情報が格納されている。商品またはサービスに関する情報は、商品またはサービスを識別するための情報（商品・サービスＩＤ）によって識別されることが可能である。商品またはサービスに関する情報は、提供元を識別するための情報（提供元ＩＤ）に関連付けられた状態で商品データベース部２４３に格納されている。商品データベース部２４３には、商品名またはサービス名、定価、［提供元ＩＤ］における提供価格、商品またはサービスが表された画像データなどがさらに格納されている。なお、サービスが表された画像データの一例は、提供されるサービスを示すステッカーの画像データ、サービスが提供されている風景が撮影された画像データなどであるが、これらに限定されない。
【００５４】
図３Ｄは、パスワードデータベース部２４４に格納されている情報の構成の一例を示す。
【００５５】
パスワードデータベース部２４４には、有効なパスワードおよびその有効条件が格納されている。パスワードは、例えば、１回限りの使用が有効なワンタイムパスワード、または、所定の時間内に限り有効な時限パスワードであり得る。例えば、ワンタイムパスワードの有効条件は、「１回限りの使用」であり、時限パスワードの有効条件は、「所定の時間内」である。「所定の時間内」は、例えば、「時限パスワードの生成時刻から〇分以内」、「時限パスワードの生成時刻から□時間以内」、「時限パスワードを生成した日中」などであるが、これらに限定されない。
【００５６】
サーバ装置２２０は、パスワードデータベース部２４４内を検索することが可能なように構成されている。サーバ装置２２０は、パスワードデータベース部２４４内を検索することによって、パスワードが有効であるか否かを判定することが可能である。
【００５７】
３．コンピュータシステムの処理
図４は、コンピュータシステム２００において実行される処理のフローの一例を示す。図４に示される処理は、例えば、ユーザ装置２１０１に含まれるプロセッサ部２１２およびサーバ装置２２０に含まれるプロセッサ部２２２によって実行される。以下、図４に示される各ステップを説明する。
【００５８】
ステップＳ４０１：ユーザ装置２１０１は、商品またはサービスの決済を要求するユーザ入力を受信する。商品またはサービスの決済を要求するユーザ入力の態様は、任意である。例えば、商品またはサービスの決済を要求するユーザ入力は、ユーザがユーザ装置２１０１の入力部兼表示部２１４上の所定の領域を選択することによって入力されてもよいし、商品またはサービスの決済を要求する旨を示すユーザの音声をユーザ装置２１０１の音声認識部（図示せず）が認識することによって入力されてもよい。
【００５９】
ステップＳ４０２：ユーザ装置２１０１は、商品またはサービスの決済を要求するユーザ入力に応答して、商品またはサービスの決済を要求する決済リクエストを生成し、その決済リクエストをサーバ装置２２０に送信する。決済リクエストは、ユーザを識別するための情報（ユーザＩＤ）を含み得る。
【００６０】
ステップＳ４０３：サーバ装置２２０は、決済リクエストをユーザ装置２１０１から受信する。
【００６１】
ステップＳ４０４：ユーザ装置２１０１は、商品またはサービスの価格を特定するための情報をサーバ装置２２０に送信する。
【００６２】
ステップＳ４０５：サーバ装置２２０は、商品またはサービスの価格を特定するための情報をユーザ装置２１０１から受信する。
【００６３】
ここで、商品またはサービスの価格を特定するための情報の一例は、商品またはサービスの価格を示すユーザ入力である。この場合、ステップＳ４０４の前に、ユーザ装置２１０１は、ユーザが商品またはサービスの価格を入力することによって、商品またはサービスの価格を示すユーザ入力を受信し、ステップＳ４０４において、ユーザ装置２１０１は、商品またはサービスの価格を示すユーザ入力を商品またはサービスの価格を示す情報としてサーバ装置２２０に送信し、ステップＳ４０５において、サーバ装置２２０は、商品またはサービスの価格を示す情報をユーザ装置２１０１から受信する。この商品またはサービスの価格を示す情報は、ステップＳ４０８において後述されるサーバ装置２２０の処理において利用され得る（すなわち、ステップＳ４０８において、サーバ装置２２０は、商品またはサービスの価格を示す情報に基づいて、決済されるべき商品またはサービスを決済するための処理を実行し得る）。
【００６４】
また、商品またはサービスの価格を特定するための情報の他の一例は、決済されるべき商品またはサービスが表された画像データである。この場合、ステップＳ４０４の前に、ユーザ装置２１０１は、（例えば、ユーザがユーザ装置２１０１のカメラ２１５を用いて商品またはサービスを撮影することによって）商品またはサービスが表された画像データを生成し、ステップＳ４０４において、ユーザ装置２１０１は、商品またはサービスが表された画像データをサーバ装置２２０に送信し、ステップＳ４０５において、サーバ装置２２０は、商品またはサービスが表された画像データをユーザ装置２１０１から受信する。さらに、サーバ装置２２０は、商品またはサービスが表された画像データを解析することによって、商品またはサービスを特定し、サーバ装置２２０は、商品・サービスデータベース部２４３を検索することにより、特定された商品またはサービスの価格を示す情報を取得する。商品またはサービスが表された画像データを解析は、例えば、人工知能（ＡＩ）を駆使して実現されてもよい。この商品またはサービスの価格を示す情報は、ステップＳ４０８において後述されるサーバ装置２２０の処理において利用され得る（すなわち、ステップＳ４０８において、サーバ装置２２０は、商品またはサービスの価格を示す情報に基づいて、決済されるべき商品またはサービスを決済するための処理を実行し得る）。
【００６５】
ステップＳ４０６：ユーザ装置２１０１は、商品またはサービスの提供元を特定するための情報をサーバ装置２２０に送信する。
【００６６】
ステップＳ４０７：サーバ装置２２０は、商品またはサービスの提供元を特定するための情報をユーザ装置２１０１から受信する。
【００６７】
ここで、商品またはサービスの提供元を特定するための情報の一例は、ユーザ装置の位置情報である。この場合、ステップＳ４０６の前に、ユーザ装置２１０１は、ユーザ装置２１０１の位置情報装置２１６を用いてユーザ装置２１０１の位置情報を取得し、ステップＳ４０６において、ユーザ装置２１０１は、ユーザ装置２１０１の位置情報をサーバ装置２２０に送信し、ステップＳ４０７において、サーバ装置２２０は、ユーザ装置２１０１の位置情報をユーザ装置２１０１から受信する。このユーザ装置２１０１の位置情報は、ステップＳ４０８において後述されるサーバ装置２２０の処理において利用され得る（すなわち、ステップＳ４０８において、サーバ装置２２０は、ユーザ装置２１０１の位置情報に基づいて、決済されるべき商品またはサービスを決済するための処理を実行し得る）。
【００６８】
また、商品またはサービスの提供元を特定するための情報の他の一例は、決済されるべき商品またはサービスの提供元を特定するための画像データ（例えば、決済されるべき商品またはサービスの提供元の屋号が表された画像データ）である。この場合、ステップＳ４０６の前に、ユーザ装置２１０１は、（例えば、ユーザがユーザ装置２１０１のカメラ２１５を用いて商品またはサービスの提供元を特定するための何か（例えば、提供元の屋号）を撮影することによって）商品またはサービスの提供元を特定するための画像データ（例えば、提供元の屋号が表された画像データ）を生成し、ステップＳ４０６において、ユーザ装置２１０１は、商品またはサービスの提供元を特定するための画像データ（例えば、提供元の屋号が表された画像データ）をサーバ装置２２０に送信し、ステップＳ４０７において、サーバ装置２２０は、商品またはサービスの提供元を特定するための画像データ（例えば、提供元の屋号が表された画像データ）をユーザ装置２１０１から受信する。この商品またはサービスの提供元を特定するための画像データ（例えば、提供元の屋号が表された画像データ）は、ステップＳ４０８において後述されるサーバ装置２２０の処理において利用され得る（すなわち、ステップＳ４０８において、サーバ装置２２０は、商品またはサービスの提供元を特定するための画像データ（例えば、提供元の屋号が表された画像データ）に基づいて、決済されるべき商品またはサービスを決済するための処理を実行し得る）。
【００６９】
また、商品またはサービスの提供元を特定するための情報の他の一例は、決済されるべき商品またはサービスが表された画像データであって、ユーザ装置２１０１の位置情報を含む画像データ（以下、「位置情報付き商品・サービス画像データ」という）である。従って、図４に示される実施形態では、商品またはサービスの価格を特定するための情報と提供元を特定するための情報とがステップＳ４０４〜４０７において別個に送受信されているが、本発明はこれに限定されない。例えば、位置情報付き商品・サービス画像データは、商品またはサービスの価格を特定するための情報、かつ、提供元を特定するための情報であるため、商品またはサービスの価格を特定するための情報と提供元を特定するための情報とを１つのデータ（情報）で代用するようにしてもよい。例えば、ステップＳ４０４〜４０７に代えて、ステップＳ４０６’において、ユーザ装置２１０１は、商品またはサービスが表された画像データを生成し、ユーザ装置２１０１の位置情報を取得することによって、位置情報付き商品・サービス画像データを生成し、ステップＳ４０７’において、ユーザ装置２１０１は、位置情報付き商品・サービス画像データをサーバ装置２２０に送信し、サーバ装置２２０は、位置情報付き商品・サービス画像データをユーザ装置２１０１から受信するようにしてもよい。この位置情報付き商品・サービス画像データは、ステップＳ４０８において後述されるサーバ装置２２０の処理において利用され得る（すなわち、ステップＳ４０８において、サーバ装置２２０は、位置情報付き商品・サービス画像データに基づいて、決済されるべき商品またはサービスを決済するための処理を実行し得る）。
【００７０】
ステップＳ４０８：サーバ装置２２０は、有効なパスワードを生成する。なお、サーバ装置２２０は、有効なパスワードを生成すると、生成された有効なパスワードをパスワードデータベース部２４４に格納し得る。
【００７１】
ステップＳ４０９：サーバ装置２２０は、有効なパスワードを商品またはサービスの提供元に通知する。この処理は、例えば、サーバ装置２２０が商品またはサービスの提供元の端末２５０１に有効なパスワードを出力させることによって達成される。有効なパスワードの出力の態様は任意である。例えば、端末２５０１が電話機である場合には、有効なパスワードの出力は音声出力であってもよいし、端末２５０１がＦＡＸ機である場合には、有効なパスワードの出力はプリント出力であってもよい。
【００７２】
ステップＳ４１０：サーバ装置２２０は、パスワードを入力するための画面をユーザ装置２１０１に表示させる。この処理は、例えば、サーバ装置２２０は、パスワードを入力するための画面を表示させるための命令をユーザ装置２１０１に送信することによって達成される。
【００７３】
ステップＳ４１１：ユーザ装置２１０１は、パスワードを入力するための画面を表示する。
【００７４】
ステップＳ４１２：ユーザ装置２１０１は、パスワードのユーザ入力を受信する。
【００７５】
ステップＳ４１３：ユーザ装置２１０１は、ステップＳ４１２において入力されたパスワードをサーバ装置２２０に送信する。
【００７６】
ステップＳ４１４：サーバ装置２２０は、パスワードをユーザ装置２１０１から受信する。
【００７７】
ステップＳ４１５：サーバ装置２２０は、ステップＳ４１４において受信されたパスワードが有効であるか否かを判定する。サーバ装置２２０は、ステップＳ４１４において受信されたパスワードが有効であると判定された場合に、ステップＳ４１６の処理を実行する。
【００７８】
ステップＳ４１６：サーバ装置２２０は、決済されるべき商品またはサービスを決済するための処理を実行する。この処理は、商品またはサービスの提供元を特定するための情報に基づいて実行される。この処理は、商品またはサービスの価格を特定するための情報にさらに基づいて実行され得る。
【００７９】
決済されるべき商品またはサービスを決済するための処理の一例は、商品またはサービスの提供元を特定するための情報に基づいて商品またはサービスの提供元の口座情報を特定し、決済リクエストに含まれ得るユーザＩＤに基づいてユーザの口座情報を特定し、商品またはサービスの価格を特定するための情報に基づいてユーザの支払い額を特定し、商品またはサービスの提供元の口座情報とユーザの口座情報とユーザの支払い額とに基づいて、ユーザの口座から商品またはサービスの提供元の口座へのユーザの支払い額分の送金リクエストを決済機関のシステム（例えば、銀行のシステム）に送信することであり得る。
【００８０】
例えば、ユーザ装置２１０１が、カード（例えば、クレジットカード、デビットカード）からユーザの口座情報を読み出すことが可能なように構成されている、または、カードと接触した状態でまたはカードと非接触の状態でカードからユーザの口座情報を読み出すことが可能なように構成されている場合には、決済されるべき商品またはサービスを決済するための処理の他の一例は、商品またはサービスの提供元を特定するための情報に基づいて商品またはサービスの提供元の口座情報を特定し、ユーザ装置２１０１によってカードから読み出されてユーザ装置２１０１からユーザの口座情報を受信し、商品またはサービスの価格を特定するための情報に基づいてユーザの支払い額を特定し、商品またはサービスの提供元の口座情報とユーザの口座情報とユーザの支払い額とに基づいて、ユーザの口座から商品またはサービスの提供元の口座へのユーザの支払い額分の送金リクエストをカード会社のシステムに送信することであり得る。
【００８１】
商品またはサービスの提供元を特定するための情報が、ユーザ装置２１０１の位置情報（またはユーザ装置２１０１の位置情報を含む画像データ）である場合には、サーバ装置２２０は、ユーザ装置２１０１の位置情報と商品またはサービスの提供元の位置情報と基づいて、ユーザ装置２１０１がその提供元から所定の範囲内に位置しているか否かを判定し、ユーザ装置２１０１がその提供元から所定の範囲内に位置していると判定された場合に、商品またはサービスを決済するための処理を実行し得る。
【００８２】
商品またはサービスの提供元を特定するための情報が、商品またはサービスの提供元を特定するための画像データ（例えば、商品またはサービスの提供元の屋号が表された画像データ）である場合には、サーバ装置２２０は、商品またはサービスの提供元を特定するための画像データを解析することによって、商品またはサービスの提供元を特定し、商品またはサービスの提供元を示す情報に基づいて、商品またはサービスを決済するための処理を実行し得る。商品またはサービスの提供元を特定するための画像データを解析は、例えば、人工知能（ＡＩ）を駆使して実現されてもよい。
【００８３】
なお、図４において破線で囲まれている部分に示されているパスワード確認ステップ（すなわち、ステップＳ４０８〜Ｓ４１５）は、必要に応じて省略可能なステップである。従って、コンピュータシステム２００において実行される処理は、ステップＳ４０７からステップＳ４１６に移行してもよいし、ステップＳ４０７からパスワード確認ステップ（すなわち、ステップＳ４０８〜Ｓ４１５）を経てステップＳ４１６に移行してもよい。パスワード確認ステップを経ることによって、決済サービスのセキュリティ向上を図ることが可能である。
【００８４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００８５】
本発明は、スマートフォンなどのユーザ装置を用いた決済システムを導入するための初期設備投資を必要とすることなく、スマートフォンなどのユーザ装置を用いた決済システムを導入することを可能にするコンピュータシステム、そのコンピュータシステムにおいて使用されるサーバ装置、そのサーバ装置において実行されるプログラム等を提供するものとして有用である。
【符号の説明】
【００８６】
２００  コンピュータシステム
２１０１〜２１０Ｎ  ユーザ装置
２３０  インターネット
２４０  データベース部
２５０１〜２５０Ｍ  端末
【図１】
2020013499.tif 000003
【図２】
2020013499.tif 000004
【図３Ａ】
2020013499.tif 000005
【図３Ｂ】
2020013499.tif 000006
【図３Ｃ】
2020013499.tif 000007
【図３Ｄ】
2020013499.tif 000008
【図４】
2020013499.tif 000009
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
商品またはサービスの決済を支援するためのサーバ装置であって、
前記サーバ装置は、少なくとも１つのユーザ装置と通信可能に構成されており、
前記サーバ装置は、複数の提供元に関する情報が格納されている提供元データベース部に接続されており、前記複数の提供元に関する情報は、前記複数の提供元のそれぞれの位置情報を含み、
前記サーバ装置は、
前記商品またはサービスの決済を要求する決済リクエストをユーザ装置から受信することであって、前記商品またはサービスは、前記商品またはサービスの提供元によって提供され、前記提供元は、前記複数の提供元のうちの１つであり、前記ユーザ装置は、前記少なくとも１つのユーザ装置のうちの１つである、ことと、
前記提供元を特定するための情報を前記ユーザ装置から受信することであって、前記提供元を特定するための情報は、前記ユーザ装置の位置情報を含む、ことと、
前記提供元を特定するための情報に少なくとも基づいて、前記商品またはサービスを決済するための処理を実行することと
を少なくとも実行するように構成されており、
前記提供元を特定するための情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、サーバ装置。
【請求項２】
前記提供元を特定するための情報は、前記提供元を特定するための画像データをさらに含み、
前記商品またはサービスを決済するための処理を実行することは、前記提供元を特定するための画像データに基づいて実行される、請求項１に記載のサーバ装置。
【請求項３】
前記サーバ装置は、少なくとも１つの商品またはサービスに関する情報が格納されている商品・サービスデータベース部に接続されており、前記少なくとも１つの商品またはサービスに関する情報は、前記商品またはサービスの価格を示す情報を含み、
前記サーバ装置は、
前記ユーザ装置から前記商品またはサービスが表された画像データを受信することと、
前記画像データを解析することによって前記商品またはサービスを特定することと、
前記商品・サービスデータベース部を検索することにより、前記特定された商品またはサービスの価格を示す情報を取得することと
をさらに実行するように構成され、
前記商品またはサービスを決済するための処理は、前記特定された商品またはサービスの価格を示す情報に基づいて実行される、請求項１に記載のサーバ装置。
【請求項４】
前記提供元を特定するための情報は、前記ユーザ装置の位置情報を含む前記画像データを含み、
前記商品またはサービスを決済するための処理は、前記ユーザ装置の位置情報に基づいて実行される、請求項３に記載のサーバ装置。
【請求項５】
前記サーバ装置は、前記ユーザ装置から前記商品またはサービスの価格を示す情報を受信することをさらに実行するように構成され、
前記商品またはサービスを決済するための処理は、前記ユーザ装置から受信された前記商品またはサービスの価格を示す情報に基づいて実行される、請求項１に記載のサーバ装置。
【請求項６】
前記サーバ装置は、
有効なパスワードを生成し、前記パスワードを前記提供元の従業員に通知することと、
前記パスワードを前記提供元の従業員に通知したことに応答して、前記パスワードを入力するための画面を前記ユーザ装置に表示させることと、
前記ユーザ装置から前記パスワードを受信することと、
前記パスワードを受信したことに応答して、前記パスワードが有効であるか否かを判定することと
をさらに実行するように構成され、
前記商品またはサービスを決済するための処理は、前記パスワードが有効であると判定された場合に、実行される、請求項１〜５のいずれかに記載のサーバ装置。
【請求項７】
前記サーバ装置は、前記提供元の端末と通信可能なように構成されており、
前記パスワードを前記提供元の従業員に通知することは、前記提供元の端末に前記パスワードを出力させることを含む、請求項６に記載のサーバ装置。
【請求項８】
前記パスワードは、１回限りの使用が有効なワンタイムパスワード、または、所定の時間内に限り有効な時限パスワードを含む、請求項６または請求項７に記載のサーバ装置。
【請求項９】
商品またはサービスの決済を支援するためのサーバ装置において実行されるプログラムであって、
前記サーバ装置は、少なくとも１つのユーザ装置と通信可能に構成されており、
前記サーバ装置は、複数の提供元に関する情報が格納されている提供元データベース部に接続されており、前記複数の提供元に関する情報は、前記複数の提供元のそれぞれの位置情報を含み、
前記サーバ装置は、プロセッサ部を備え、
前記プログラムは、前記プロセッサ部において実行されると、
前記商品またはサービスの決済を要求する決済リクエストをユーザ装置から受信することであって、前記商品またはサービスは、前記商品またはサービスの提供元によって提供され、前記提供元は、前記複数の提供元のうちの１つであり、前記ユーザ装置は、前記少なくとも１つのユーザ装置のうちの１つである、ことと、
前記提供元を特定するための情報を前記ユーザ装置から受信することであって、前記提供元を特定するための情報は、前記ユーザ装置の位置情報を含む、ことと、
前記提供元を特定するための情報に少なくとも基づいて、前記商品またはサービスを決済するための処理を実行することと
を少なくとも実行することを前記プロセッサ部に行わせ、
前記提供元を特定するための情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、プログラム。
【請求項１０】
商品またはサービスの決済を支援するためのコンピュータシステムであって、
前記コンピュータシステムは、サーバ装置と、少なくとも１つのユーザ装置とを備え、
前記サーバ装置は、前記少なくとも１つのユーザ装置と通信可能に構成されており、
前記サーバ装置は、複数の提供元に関する情報が格納されている提供元データベース部に接続されており、前記複数の提供元に関する情報は、前記複数の提供元のそれぞれの位置情報を含み、
前記ユーザ装置は、前記ユーザ装置の位置情報を取得することが可能なように構成されており、
ユーザ装置は、前記商品またはサービスの決済を要求するためのユーザ入力を受信し、前記商品またはサービスは、前記商品またはサービスの提供元によって提供され、前記提供元は、前記複数の提供元のうちの１つであり、前記ユーザ装置は、前記少なくとも１つのユーザ装置のうちの１つであり、
前記ユーザ装置は、前記商品またはサービスの決済を要求する決済リクエストを前記サーバ装置に送信し、
前記サーバ装置は、前記ユーザ装置から前記決済リクエストを受信し、
前記ユーザ装置は、前記提供元を特定するための情報を前記サーバ装置に送信し、前記提供元を特定するための情報は、前記ユーザ装置の位置情報を含み、
前記サーバ装置は、前記ユーザ装置から前記提供元を特定するための情報を受信し、
前記サーバ装置は、前記提供元を特定するための情報に少なくとも基づいて、前記商品またはサービスを決済するための処理を実行し、
前記提供元を特定するための情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、コンピュータシステム。
【請求項１１】
前記ユーザ装置は、画像データを生成することが可能なように構成されており、
前記提供元を特定するための情報は、前記提供元を特定するための画像データをさらに含み、
前記商品またはサービスを決済するための処理を実行することは、前記提供元を特定するための画像データに基づいて実行される、請求項１０に記載のコンピュータシステム。
【請求項１２】
前記サーバ装置は、少なくとも１つの商品またはサービスに関する情報が格納されている商品・サービスデータベース部に接続されており、前記少なくとも１つの商品またはサービスに関する情報は、前記商品またはサービスの価格を示す情報を含み、
前記ユーザ装置は、前記商品またはサービスが表された画像データを生成し、
前記ユーザ装置は、前記画像データを前記サーバ装置に送信し、
前記サーバ装置は、前記ユーザ装置から前記画像データを受信し、
前記サーバ装置は、前記画像データを解析することによって前記商品またはサービスを特定し、
前記サーバ装置は、前記商品・サービスデータベース部を検索することにより、前記特定された商品またはサービスの価格を示す情報を取得し、
前記商品またはサービスを決済するための処理は、前記特定された商品またはサービスの価格を示す情報に基づいて実行される、請求項１０に記載のコンピュータシステム。
【請求項１３】
前記提供元を特定するための情報は、前記ユーザ装置の位置情報を含む前記画像データを含み、
前記商品またはサービスを決済するための処理は、前記ユーザ装置の位置情報に基づいて実行される、請求項１２に記載のコンピュータシステム。
【請求項１４】
前記ユーザ装置は、前記商品またはサービスの価格のユーザ入力を受信し、
前記ユーザ装置は、前記商品またはサービスの価格のユーザ入力を前記商品またはサービスの価格を示す情報として前記サーバ装置に送信し、
前記サーバ装置は、前記ユーザ装置から前記商品またはサービスの価格を示す情報を受信し、
前記商品またはサービスを決済するための処理は、前記ユーザ装置から受信された前記商品またはサービスの価格を示す情報に基づいて実行される、請求項１０に記載のコンピュータシステム。
【請求項１５】
前記サーバ装置は、有効なパスワードを生成し、前記パスワードを前記提供元の従業員に通知することが可能なように構成されており、
前記サーバ装置は、前記パスワードを前記提供元の従業員に通知したことに応答して、前記パスワードを入力するための画面を前記ユーザ装置に表示させ、
前記ユーザ装置は、前記パスワードを入力するための画面を表示し、
前記ユーザ装置は、前記パスワードのユーザ入力を受信し、
前記ユーザ装置は、前記パスワードのユーザ入力に応答して、前記パスワードを前記サーバ装置に送信し、
前記サーバ装置は、前記ユーザ装置から前記パスワードを受信し、
前記サーバ装置は、前記パスワードを受信したことに応答して、前記パスワードが有効であるか否かを判定し、
前記商品またはサービスを決済するための処理は、前記パスワードが有効であると判定された場合に、実行される、請求項１０〜１４のいずれかに記載のコンピュータシステム。
【請求項１６】
前記コンピュータシステムは、前記提供元の端末をさらに備え、
前記パスワードを前記提供元の従業員に通知することは、前記端末に前記パスワードを出力させることを含む、請求項１５に記載のコンピュータシステム。
【請求項１７】
前記パスワードは、１回限りの使用が有効なワンタイムパスワード、または、所定の時間内に限り有効な時限パスワードを含む、請求項１５または請求項１６に記載のコンピュータシステム。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
商品またはサービスの決済を支援するためのサーバ装置であって、
前記サーバ装置は、少なくとも１つのユーザ装置と通信可能に構成されており、
前記サーバ装置は、複数の提供元に関する情報が格納されている提供元データベース部及び少なくとも１つの商品またはサービスに関する情報が格納されている商品・サービスデータベース部に接続されており、前記複数の提供元に関する情報は、前記複数の提供元のそれぞれの位置情報を含み、前記少なくとも１つの商品またはサービスに関する情報は、前記商品またはサービスの価格を示す情報を含み、
前記サーバ装置は、
前記商品またはサービスの決済を要求する決済リクエストをユーザ装置から受信することであって、前記商品またはサービスは、前記商品またはサービスの提供元によって提供され、前記提供元は、前記複数の提供元のうちの１つであり、前記ユーザ装置は、前記少なくとも１つのユーザ装置のうちの１つである、ことと、
前記提供元を特定するための情報を前記ユーザ装置から受信することであって、前記提供元を特定するための情報は、前記ユーザ装置の位置情報を含む画像データであって前記商品またはサービスが表された画像データを含む、ことと、
前記画像データを解析することによって前記商品またはサービスを特定することと、
前記商品・サービスデータベース部を検索することにより、前記特定された商品またはサービスの価格を示す情報を取得することと、
前記提供元を特定するための情報、前記特定された商品またはサービスの価格を示す情報、及び前記ユーザ装置の位置情報に少なくとも基づいて、前記商品またはサービスを決済するための処理を実行することと
を少なくとも実行するように構成されており、
前記提供元を特定するための情報、前記特定された商品またはサービスの価格を示す情報、及び前記ユーザ装置の位置情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、サーバ装置。
【請求項２】
商品またはサービスの決済を支援するためのサーバ装置であって、
前記サーバ装置は、少なくとも１つのユーザ装置と通信可能に構成されており、
前記サーバ装置は、複数の提供元に関する情報が格納されている提供元データベース部に接続されており、前記複数の提供元に関する情報は、前記複数の提供元のそれぞれの位置情報を含み、
前記サーバ装置は、
前記商品またはサービスの決済を要求する決済リクエストをユーザ装置から受信することであって、前記商品またはサービスは、前記商品またはサービスの提供元によって提供され、前記提供元は、前記複数の提供元のうちの１つであり、前記ユーザ装置は、前記少なくとも１つのユーザ装置のうちの１つである、ことと、
前記提供元を特定するための情報を前記ユーザ装置から受信することであって、前記提供元を特定するための情報は、前記ユーザ装置の位置情報を含む、ことと、
有効なパスワードを生成し、前記パスワードを前記提供元に通知することと、
前記パスワードを前記提供元に通知したことに応答して、前記パスワードを入力するための画面を前記ユーザ装置に表示させることと、
前記ユーザ装置から前記パスワードを受信することと、
前記パスワードを受信したことに応答して、前記パスワードが有効であるか否かを判定することと、
前記パスワードが有効であると判定された場合に、前記提供元を特定するための情報に少なくとも基づいて、前記商品またはサービスを決済するための処理を実行することと、
を少なくとも実行するように構成されており、
前記提供元を特定するための情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、サーバ装置。
【請求項３】
前記提供元を特定するための情報は、前記提供元を特定するための画像データをさらに含み、
前記商品またはサービスを決済するための処理を実行することは、前記提供元を特定するための画像データに基づいて実行される、請求項１又は２に記載のサーバ装置。
【請求項４】
前記サーバ装置は、前記ユーザ装置から前記商品またはサービスの価格を示す情報を受信することをさらに実行するように構成され、
前記商品またはサービスを決済するための処理は、前記ユーザ装置から受信された前記商品またはサービスの価格を示す情報に基づいて実行される、請求項１又は２に記載のサーバ装置。
【請求項５】
前記サーバ装置は、前記提供元の端末と通信可能なように構成されており、
前記パスワードを前記提供元の従業員に通知することは、前記提供元の端末に前記パスワードを出力させることを含む、請求項２に記載のサーバ装置。
【請求項６】
前記パスワードは、１回限りの使用が有効なワンタイムパスワード、または、所定の時間内に限り有効な時限パスワードを含む、請求項２または請求項５に記載のサーバ装置。
【請求項７】
商品またはサービスの決済を支援するためのサーバ装置において実行されるプログラムであって、
前記サーバ装置は、少なくとも１つのユーザ装置と通信可能に構成されており、
前記サーバ装置は、複数の提供元に関する情報が格納されている提供元データベース部及び少なくとも１つの商品またはサービスに関する情報が格納されている商品・サービスデータベース部に接続されており、前記複数の提供元に関する情報は、前記複数の提供元のそれぞれの位置情報を含み、前記少なくとも１つの商品またはサービスに関する情報は、前記商品またはサービスの価格を示す情報を含み、
前記サーバ装置は、プロセッサ部を備え、
前記プログラムは、前記プロセッサ部において実行されると、
前記商品またはサービスの決済を要求する決済リクエストをユーザ装置から受信することであって、前記商品またはサービスは、前記商品またはサービスの提供元によって提供され、前記提供元は、前記複数の提供元のうちの１つであり、前記ユーザ装置は、前記少なくとも１つのユーザ装置のうちの１つである、ことと、
前記提供元を特定するための情報を前記ユーザ装置から受信することであって、前記提供元を特定するための情報は、前記ユーザ装置の位置情報を含む画像データであって前記商品またはサービスが表された画像データを含む、ことと、
前記画像データを解析することによって前記商品またはサービスを特定することと、
前記商品・サービスデータベース部を検索することにより、前記特定された商品またはサービスの価格を示す情報を取得することと、
前記提供元を特定するための情報、前記特定された商品またはサービスの価格を示す情報、及び前記ユーザ装置の位置情報に少なくとも基づいて、前記商品またはサービスを決済するための処理を実行することと
を少なくとも実行することを前記プロセッサ部に行わせ、
前記提供元を特定するための情報、前記特定された商品またはサービスの価格を示す情報、及び前記ユーザ装置の位置情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、プログラム。
【請求項８】
商品またはサービスの決済を支援するためのサーバ装置において実行されるプログラムであって、
前記サーバ装置は、少なくとも１つのユーザ装置と通信可能に構成されており、
前記サーバ装置は、複数の提供元に関する情報が格納されている提供元データベース部に接続されており、前記複数の提供元に関する情報は、前記複数の提供元のそれぞれの位置情報を含み、
前記サーバ装置は、プロセッサ部を備え、
前記プログラムは、前記プロセッサ部において実行されると、
前記商品またはサービスの決済を要求する決済リクエストをユーザ装置から受信することであって、前記商品またはサービスは、前記商品またはサービスの提供元によって提供され、前記提供元は、前記複数の提供元のうちの１つであり、前記ユーザ装置は、前記少なくとも１つのユーザ装置のうちの１つである、ことと、
前記提供元を特定するための情報を前記ユーザ装置から受信することであって、前記提供元を特定するための情報は、前記ユーザ装置の位置情報を含む、ことと、
有効なパスワードを生成し、前記パスワードを前記提供元に通知することと、
前記パスワードを前記提供元に通知したことに応答して、前記パスワードを入力するための画面を前記ユーザ装置に表示させることと、
前記ユーザ装置から前記パスワードを受信することと、
前記パスワードを受信したことに応答して、前記パスワードが有効であるか否かを判定することと、
前記パスワードが有効であると判定された場合に、前記提供元を特定するための情報に少なくとも基づいて、前記商品またはサービスを決済するための処理を実行することと、
を少なくとも実行することを前記プロセッサ部に行わせ、
前記提供元を特定するための情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、プログラム。
【請求項９】
商品またはサービスの決済を支援するためのコンピュータシステムであって、
前記コンピュータシステムは、サーバ装置と、少なくとも１つのユーザ装置とを備え、
前記サーバ装置は、前記少なくとも１つのユーザ装置と通信可能に構成されており、
前記サーバ装置は、複数の提供元に関する情報が格納されている提供元データベース部及び少なくとも１つの商品またはサービスに関する情報が格納されている商品・サービスデータベース部に接続されており、前記複数の提供元に関する情報は、前記複数の提供元のそれぞれの位置情報を含み、前記少なくとも１つの商品またはサービスに関する情報は、前記商品またはサービスの価格を示す情報を含み、
前記ユーザ装置は、前記ユーザ装置の位置情報を取得することが可能なように構成されており、
ユーザ装置は、前記商品またはサービスの決済を要求するためのユーザ入力を受信し、前記商品またはサービスは、前記商品またはサービスの提供元によって提供され、前記提供元は、前記複数の提供元のうちの１つであり、前記ユーザ装置は、前記少なくとも１つのユーザ装置のうちの１つであり、
前記ユーザ装置は、前記商品またはサービスの決済を要求する決済リクエストを前記サーバ装置に送信し、
前記サーバ装置は、前記ユーザ装置から前記決済リクエストを受信し、
前記ユーザ装置は、前記提供元を特定するための情報を前記サーバ装置に送信し、前記提供元を特定するための情報は、前記ユーザ装置の位置情報を含む画像データであって前記商品またはサービスが表された画像データを含み、
前記サーバ装置は、前記ユーザ装置から前記提供元を特定するための情報を受信し、
前記サーバ装置は、前記画像データを解析することによって前記商品またはサービスを特定し、
前記サーバ装置は、前記商品・サービスデータベース部を検索することにより、前記特定された商品またはサービスの価格を示す情報を取得し、
前記サーバ装置は、前記提供元を特定するための情報、前記特定された商品またはサービスの価格を示す情報、及び前記ユーザ装置の位置情報に少なくとも基づいて、前記商品またはサービスを決済するための処理を実行し、
前記提供元を特定するための情報、前記特定された商品またはサービスの価格を示す情報、及び前記ユーザ装置の位置情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、コンピュータシステム。
【請求項１０】
商品またはサービスの決済を支援するためのコンピュータシステムであって、
前記コンピュータシステムは、サーバ装置と、少なくとも１つのユーザ装置とを備え、
前記サーバ装置は、前記少なくとも１つのユーザ装置と通信可能に構成されており、
前記サーバ装置は、複数の提供元に関する情報が格納されている提供元データベース部に接続されており、前記複数の提供元に関する情報は、前記複数の提供元のそれぞれの位置情報を含み、
前記ユーザ装置は、前記ユーザ装置の位置情報を取得することが可能なように構成されており、
ユーザ装置は、前記商品またはサービスの決済を要求するためのユーザ入力を受信し、前記商品またはサービスは、前記商品またはサービスの提供元によって提供され、前記提供元は、前記複数の提供元のうちの１つであり、前記ユーザ装置は、前記少なくとも１つのユーザ装置のうちの１つであり、
前記ユーザ装置は、前記商品またはサービスの決済を要求する決済リクエストを前記サーバ装置に送信し、
前記サーバ装置は、前記ユーザ装置から前記決済リクエストを受信し、
前記ユーザ装置は、前記提供元を特定するための情報を前記サーバ装置に送信し、前記提供元を特定するための情報は、前記ユーザ装置の位置情報を含み、
前記サーバ装置は、前記ユーザ装置から前記提供元を特定するための情報を受信し、
前記サーバ装置は、有効なパスワードを生成し、前記パスワードを前記提供元に通知し、
前記サーバ装置は、前記パスワードを前記提供元に通知したことに応答して、前記パスワードを入力するための画面を前記ユーザ装置に表示させ、
前記サーバ装置は、前記ユーザ装置から前記パスワードを受信し、
前記サーバ装置は、前記パスワードを受信したことに応答して、前記パスワードが有効であるか否かを判定し、
前記サーバ装置は、前記パスワードが有効であると判定された場合に、前記提供元を特定するための情報に少なくとも基づいて、前記商品またはサービスを決済するための処理を実行し、
前記提供元を特定するための情報に少なくとも基づいて、前記商品またはサービスを決済するための処理を実行することは、
前記提供元を特定するための情報に含まれる前記ユーザ装置の位置情報と、前記提供元データベース部に格納されている前記提供元の位置情報とに基づいて、前記ユーザ装置が前記提供元から所定の範囲内に位置しているか否かを判定することと、
前記ユーザ装置が前記提供元から所定の範囲内に位置していると判定された場合に、前記商品またはサービスを決済するための処理を実行することと
を含む、コンピュータシステム。
【請求項１１】
前記ユーザ装置は、画像データを生成することが可能なように構成されており、
前記提供元を特定するための情報は、前記提供元を特定するための画像データをさらに含み、
前記商品またはサービスを決済するための処理を実行することは、前記提供元を特定するための画像データに基づいて実行される、請求項９又は１０に記載のコンピュータシステム。
【請求項１２】
前記ユーザ装置は、前記商品またはサービスの価格のユーザ入力を受信し、
前記ユーザ装置は、前記商品またはサービスの価格のユーザ入力を前記商品またはサービスの価格を示す情報として前記サーバ装置に送信し、
前記サーバ装置は、前記ユーザ装置から前記商品またはサービスの価格を示す情報を受信し、
前記商品またはサービスを決済するための処理は、前記ユーザ装置から受信された前記商品またはサービスの価格を示す情報に基づいて実行される、請求項９又は１０に記載のコンピュータシステム。
【請求項１３】
前記コンピュータシステムは、前記提供元の端末をさらに備え、
前記パスワードを前記提供元の従業員に通知することは、前記端末に前記パスワードを出力させることを含む、請求項１０に記載のコンピュータシステム。
【請求項１４】
前記パスワードは、１回限りの使用が有効なワンタイムパスワード、または、所定の時間内に限り有効な時限パスワードを含む、請求項１０または請求項１３に記載のコンピュータシステム。